(57)【要約】【課題】異常燃焼を抑制しつつ、熱効率を向上させる。【解決手段】エンジン１の制御装置は、シリンダ１１内に設けられたピストン１５を有し、シリンダ１１及びピストン１５によって燃焼室１７が区画されるエンジン本体と、少なくともガソリンを含む燃料を燃焼室１７内に噴射するインジェクタ３３と、燃焼室１７内にオゾンを生成するオゾン生成器４と、インジェクタ３３及びオゾン生成器４を制御するエンジン制御器１００とを備えている。エンジン制御器１００は、燃料の着火後にオゾン生成器４にオゾンを生成させ、エンジン回転数が高いほど、インジェクタ３３による燃料噴射時期を着火時期が遅角側に移動するように調整すると共にオゾン生成器４によるオゾン生成時期を燃料の燃焼質量割合がより少ない時期にオゾンが生成されるように調整する。【選択図】図１０
2015190366.tif 000002
【特許請求の範囲】
【請求項１】
気筒内に設けられたピストンを有し、該気筒及び該ピストンによって燃焼室が区画されるエンジン本体と、
少なくともガソリンを含む燃料を上記燃焼室内に噴射するインジェクタと、
上記燃焼室内でオゾンを生成するオゾン生成器と、
上記インジェクタ及び上記オゾン生成器を制御する制御部とを備え、
上記制御部は、
燃料の着火後に上記オゾン生成器にオゾンを生成させ、
上記エンジン本体の回転数が高いほど、上記インジェクタによる燃料噴射時期を着火時期が遅角側に移動するように調整すると共に上記オゾン生成器によるオゾン生成時期を燃料の燃焼質量割合がより少ない時期にオゾンが生成されるように調整する直噴ガソリンエンジンの制御装置。
【請求項２】
請求項１に記載の直噴ガソリンエンジンの制御装置において、
上記制御部は、
燃料の着火前にも上記オゾン生成器にオゾンを生成させ、
上記エンジン本体の回転数が高いほど、着火前のオゾン生成時期を遅角側へ調整する直噴ガソリンエンジンの制御装置。
【請求項３】
請求項１又は２に記載の直噴ガソリンエンジンの制御装置において、
上記制御部は、着火後の上記オゾン生成器によるオゾン生成時期を、上記エンジン本体の回転数に応じて、燃焼による熱発生率のピークとなる時期を前後に跨ぐ範囲で調整する直噴ガソリンエンジンの制御装置。
【発明の詳細な説明】
【技術分野】
【０００１】
ここに開示された技術は、直噴ガソリンエンジンの制御装置に関するものである。
【背景技術】
【０００２】
従来より、少なくともガソリンを含有する燃料を気筒内に供給し、混合気を圧縮させることにより燃料を自己着火させる直噴ガソリンエンジンが知られている。
【０００３】
例えば、特許文献１に開示された、燃料を自己着火燃焼させるエンジンは、振動騒音（ＮＶＨ）レベルを低減させるべく、自己着火燃焼の着火時期を膨張行程の所定の時期までリタードさせている。具体的には、着火時期をリタードさせて、燃焼期間をモータリング時のクランク角に対する燃焼室内の圧力上昇率が負の最大値となる時点と重複させている。これにより、燃焼時の圧力上昇率を低減して、振動騒音レベルを低減している。
【先行技術文献】
【特許文献】
【０００４】
【特許文献１】特開２０１３−５７２６８号公報
【発明の概要】
【発明が解決しようとする課題】
【０００５】
ところで、エンジン回転数が高い運転領域では、クランク角に対する燃焼室内の圧力上昇率ｄＰ／ｄθが高くなると、上述の振動騒音レベルが大きくなるだけでなく、異常燃焼が生じる虞がある。
【０００６】
そのため、エンジン回転数が高い運転領域では、上述のように着火時期をリタードさせることが望まれる。しかしながら、着火時期をリタードさせると、後燃えが発生しやすくなり、熱効率が低下してしまう。
【０００７】
ここに開示された技術は、かかる点に鑑みてなされたものであり、異常燃焼を抑制しつつ、熱効率を向上させることにある。
【課題を解決するための手段】
【０００８】
ここに開示された技術は、直噴ガソリンエンジンの制御装置を対象としている。この直噴ガソリンエンジンの制御装置は、気筒内に設けられたピストンを有し、該気筒及び該ピストンによって燃焼室が区画されるエンジン本体と、少なくともガソリンを含む燃料を上記燃焼室内に噴射するインジェクタと、上記燃焼室内でオゾンを生成するオゾン生成器と、上記インジェクタ及び上記オゾン生成器を制御する制御部とを備え、上記制御部は、燃料の着火後に上記オゾン生成器にオゾンを生成させ、上記エンジン本体の回転数が高いほど、上記インジェクタによる燃料噴射時期を着火時期が遅角側に移動するように調整すると共に上記オゾン生成器によるオゾン生成時期を燃料の燃焼質量割合がより少ない時期にオゾンが生成されるように調整する。
【０００９】
この構成によれば、エンジン回転数が高いほど、着火時期がリタードされる。そのため、燃焼の後半においては、膨張行程が進行して筒内温度が低下した状態となり得る。つまり、後燃えが生じやすい環境にある。それに対し、燃料の着火後にオゾン生成器によりオゾンを生成することによって、未燃の燃料にエネルギを付与して、燃焼を促進する。その際、エンジン回転数が高いほど、オゾン生成時期を燃料の燃焼質量割合がより少ない時期にオゾンが生成されるように調整する。エンジン回転数が高くなると、着火時期のリタード量が増加するので、燃焼が緩慢になり、後燃えが長くなる傾向にある。そこで、リタード量が増加するほど、未燃の燃料が多い時期にオゾンを生成する。これにより、リタード量が多い場合であっても、後燃えを抑制し、燃焼を早期に終了させることができる。その結果、リタード燃焼により異常燃焼を抑制しつつ、後燃えの抑制により熱効率を向上させることができる。
【００１０】
また、上記制御部は、燃料の着火前にも上記オゾン生成器にオゾンを生成させ、上記エンジン本体の回転数が高いほど、着火前のオゾン生成時期を遅角側へ調整するようにしてもよい。
【００１１】
この構成によれば、オゾンは、燃料の着火前と着火後に少なくとも２回生成される。着火前のオゾンは、燃料の着火をアシストする作用がある。特に、上記エンジン本体は、着火時期をリタードさせるため、着火時は筒内温度が低下した着火に不利な環境となっている。着火前にオゾンを生成することによって、筒内温度が低下した環境であってもリタード燃焼が可能となる。そして、オゾンにより燃料の着火を適切にアシストするために、エンジン本体の回転数の上昇に対応して増加するリタード量に合わせて、着火前のオゾン生成時期も遅角側へ調整している。
【００１２】
一方、着火後のオゾン生成時期は、上述の如く、エンジン本体の回転数の上昇に対応して増加するリタード量に合わせて、燃料の燃焼質量割合がより少ない時期にオゾンが生成されるように調整される。
【００１３】
こうして、エンジン回転数の上昇に応じてリタード量を大きくした場合でも燃焼を可能としつつ、熱効率を向上させることができる。
【００１４】
さらに、上記制御部は、着火後の上記オゾン生成器によるオゾン生成時期を、上記エンジン本体の回転数に応じて、燃焼による熱発生率のピークとなる時期を前後に跨ぐ範囲で調整する。
【００１５】
この構成によれば、オゾン生成時期をエンジン回転数に応じて調整する際に、オゾン生成時期が熱発生率のピークよりも前になる場合もあれば、熱発生率のピークよりも後になる場合もある。つまり、オゾン生成時期が早めに調整されたときには、その生成時期が熱発生率のピークよりも前になる場合があり、その場合には、オゾンにより生成されるラジカル（Ｏラジカル及びＯＨラジカル等）は、熱発生率のピークを高めると共に、熱発生率のピーク以降の立下りを急峻にする（即ち、熱発生率が減少する際の傾きの絶対値を大きくする）ように作用する。一方、オゾン生成時期が遅めに調整されたときには、その生成時期が熱発生率のピークよりも後になる場合があり、その場合には、オゾンにより生成されるラジカルは、熱発生率の立下りを途中から（オゾンが燃焼を促進したときから）急峻にするように作用する。
【発明の効果】
【００１６】
上記構成によれば、異常燃焼を抑制しつつ、熱効率を向上させることができる。
【図面の簡単な説明】
【００１７】
【図１】直噴ガソリンエンジンを示す概略構成図である。
【図２】ピストンが圧縮上死点に位置する状態の燃焼室周辺の概略構成図である。
【図３】パルス発生装置が出力する短パルス高電圧を例示した概略図である。
【図４】短パルス放電の説明図である。
【図５】エンジン制御器のブロック図である。
【図６】エンジンの運転マップの概略図である。
【図７】オゾン生成時のタイミングチャートであって、（Ａ）は燃料噴射量、（Ｂ）は熱発生率、（Ｃ）はパルス電圧、（Ｄ）は燃料の燃焼質量割合を示す。
【図８】エンジン回転数に対する圧力上昇率ｄＰ／ｄθの許容レベルを示す図である。
【図９】エンジン回転数が高い時と低い時との典型的な熱発生率を示す概念図である。
【図１０】高回転側の運転領域におけるオゾン生成時のタイミングチャートであって、（Ａ）は熱発生率、（Ｂ）は燃料の燃焼質量割合を示す。
【図１１】エンジン回転数に対するトルクの変化を示す図である。
【図１２】エンジン回転数に対するＳｏｏｔの発生量の変化を示す図である。
【発明を実施するための形態】
【００１８】
以下、例示的な実施形態を図面に基づいて詳細に説明する。
【００１９】
図１は、実施形態に係る直噴ガソリンエンジン（以下、「エンジン」という）１を概略的に示す。本実施形態では、エンジン１は、エンジン本体に付随する様々なアクチュエータ、様々なセンサ、及び、該センサからの信号に基づきアクチュエータを制御するエンジン制御器１００を含む。
【００２０】
エンジン１は、自動車等の車両に搭載されている。エンジン１のエンジン本体は、シリンダブロック１２と、その上に載置されるシリンダヘッド１３とを備えており、シリンダブロック１２の内部に複数のシリンダ１１（気筒）が形成されている（図１では、１つのみ示す）。シリンダブロック１２及びシリンダヘッド１３の内部には、図示は省略するが冷却水が流れるウォータージャケットが形成されている。エンジン１の燃料は、本実施形態ではガソリンであるが、バイオエタノール等を含むガソリンであってもよく、少なくともガソリンを含む燃料（液体燃料）であれば、どのような燃料であってもよい。
【００２１】
各シリンダ１１内には、ピストン１５が摺動自在にそれぞれ嵌挿されており、ピストン１５は、シリンダ１１及びシリンダヘッド１３と共に燃焼室１７を区画している。燃焼室１７は、所謂ドーム型である。すなわち、シリンダヘッド１３により形成される燃焼室１７の天井面は、アーチをシリンダ１１の中心軸を中心に回転させた形状をしている。ピストン１５の冠面１５ａも、燃焼室１７の天井面に対応させて、ドーム型に形成されている。ただし、冠面１５ａの中心部には、凹状のキャビティ１５ｂが形成されている。尚、上記天井面及びピストン１５の冠面１５ａの形状は、後述の高い幾何学的圧縮比が可能であれば、どのような形状であってもよい。例えば、天井面（シリンダヘッド１３の下面）は、吸気側及び排気側の２つの傾斜面からなる三角屋根状をなしていてもよい（所謂、ペントルーフ型）。
【００２２】
図１には１つのみ示すが、シリンダ１１毎に２つの吸気ポート１８がシリンダヘッド１３に形成され、それぞれがシリンダヘッド１３の下面（燃焼室１７の天井面における吸気側の傾斜面）に開口することで燃焼室１７に連通している。同様に、シリンダ１１毎に２つの排気ポート１９がシリンダヘッド１３に形成され、それぞれがシリンダヘッド１３の下面（燃焼室１７の天井面の排気側の傾斜面）に開口することで燃焼室１７に連通している。吸気ポート１８は、シリンダ１１内に導入される新気が流れる吸気通路（図示省略）に接続されている。吸気通路には、吸気流量を調整するスロットル弁が設けられており、エンジン制御器１００からの制御信号を受けて、スロットル弁の開度が調整される。一方、排気ポート１９は、各シリンダ１１からの既燃ガス（排気ガス）が流れる排気通路（図示省略）に接続されている。排気通路には、図示は省略するが、１つ以上の触媒コンバータを有する排気ガス浄化システムが配置（図示省略）される。触媒コンバータは例えば、三元触媒で構成される。また、排気通路と吸気通路には、排気ガスを吸気系に還流するＥＧＲ通路（図示省略）が設けられており、ＥＧＲ通路には、還流される排気ガス（ＥＧＲガス）の流量を調整するＥＧＲ弁２３が設けられている。
【００２３】
シリンダヘッド１３には、吸気弁２１及び排気弁２２が、それぞれ吸気ポート１８及び排気ポート１９を燃焼室１７から遮断（閉）することができるように配設されている。吸気弁２１は吸気弁駆動機構により、排気弁２２は排気弁駆動機構により、それぞれ駆動される。吸気弁２１及び排気弁２２は所定のタイミングで往復動して、それぞれ吸気ポート１８及び排気ポート１９を開閉し、シリンダ１１内のガス交換を行う。吸気弁駆動機構及び排気弁駆動機構は、図示は省略するが、それぞれ、クランクシャフトに駆動連結された吸気カムシャフト及び排気カムシャフトを有し、これらのカムシャフトはクランクシャフトの回転と同期して回転する。また、少なくとも吸気弁駆動機構は、吸気カムシャフトの位相を所定の角度範囲内で連続的に変更可能な、液圧式又は機械式の位相可変機構（Variable Valve Timing：ＶＶＴ）２１ｂを含んで構成されている。尚、ＶＶＴ２１ｂと共に、弁リフト量を連続的に変更可能なリフト可変機構（ＣＶＶＬ（Continuous Variable Valve Lift））を備えるようにしてもよい。
【００２４】
シリンダヘッド１３におけるシリンダ１１の中心軸上には、気筒内（燃焼室１７内）に燃料を直接噴射するインジェクタ３３が配設されている。このインジェクタ３３は、例えばブラケットを使用する等の周知の構造でシリンダヘッド１３に取付固定されている。インジェクタ３３の先端は、燃焼室１７の天井部の中心に臨んでいる。
【００２５】
エンジン１は、燃料供給システム３４を備えている。燃料供給システム３４は、インジェクタ３３を駆動するための電気回路と、インジェクタ３３に燃料を供給する燃料供給系とを有している。エンジン制御器１００は、噴射信号を上記電気回路に出力することで、該電気回路を介してインジェクタ３３を作動させて、所望量の燃料を、気筒内に噴射させる。こうして、エンジン制御器１００は、燃料供給システム３４を介して、インジェクタ３３からの燃料噴射時期及び燃料噴射量を制御する。
【００２６】
また、エンジン１は、オゾン生成器４を備えている。オゾン生成器４は、放電プラグ４１と、パルス電圧発生装置４２とを有している。
【００２７】
放電プラグ４１の先端部には、棒状の電極４１ａが設けられている。電極４１ａの周囲には、碍子４１ｂが設けられ、これにより、電極４１ａが周囲の構造物から電気的に絶縁さている。放電プラグ４１は、例えばねじ等の周知の構造によって、シリンダヘッド１３に固定されている。この状態において、電極４１ａは、燃焼室１７の天井面から燃焼室１７内に突出している。電極４１ａは、碍子４１ｂ等によって、シリンダブロック１２及びシリンダヘッド１３から電気的に絶縁されている。
【００２８】
図２に示すように、電極４１ａの先端は、ピストン１５が圧縮上死点に位置する状態において、キャビティ１５ｂの中央１５ｃよりも、キャビティ１５ｂの周縁部と冠面１５ａとで形成される稜部１５ｄの近くに位置する。
【００２９】
パルス電圧発生装置４２は、放電プラグ４１と電気的に接続されており、パルス電圧を放電プラグ４１に印加する。具体的には、パルス電圧発生装置４２は、図３に示すように、パルス幅ＰＷが５０ｎｓ以下で電圧値が１０ｋＶ以上のパルス電圧（短パルス高電圧）を高い周波数で断続的に出力する。パルス電圧発生装置４２は、エンジン制御器１００からの制御信号を受けて、短パルス高電圧を放電プラグ４１に印加する。
【００３０】
オゾン生成器４は、短パルス高電圧を放電プラグ４１に印加することによって燃焼室１７内でストリーマ放電を発生させ、オゾンを燃焼室１７内で生成する。
【００３１】
図４に、針状の電極と、その周囲に配置された円筒状の電極間に高電圧を極短時間で印加した時の電流及び電圧の変化の一例を模式的に示す。
【００３２】
図４によれば、電流は、電圧に遅れて増加する。そのため、電圧が所定の高電圧に達した時点では、電流は、ほとんど流れていない。その後、電圧は高電圧でしばらく維持されて、電流は僅かに流れるようになる。更にその後、電流が急増し、電極間に高電流が流れるようになると、電圧は降下する。
【００３３】
電圧が所定の高電圧に達するまでの初期領域では、ストリーマ放電が発生し（ストリーマ放電発生領域ＳＤ）、電圧の降下及び電流の急増が生じる後期領域では、アーク放電が発生する（アーク放電発生領域ＡＤ）。これら両領域ＳＤ，ＡＤの間の中期領域は、遷移領域となっている。
【００３４】
遷移領域やアーク放電発生領域ＡＤでは、火花や熱等が発生する可能性があるが、ストリーマ放電発生領域ＳＤでは、その可能性が無い。そのため、ストリーマ放電発生領域ＳＤを超えない短パルス幅の高電圧を印加することによって、燃焼室１７内で火花等を生じさせることなく、ストリーマ放電を安定して発生させることができる。その結果、オゾンを安定して生成することができ、オゾン生成効率を向上させることができる。
【００３５】
エンジン制御器１００は、周知のマイクロコントローラであって、プログラムを実行するプロセッサと、例えばＲＡＭやＲＯＭにより構成されてプログラム及びデータを格納するメモリと、電気信号の入出力をする入出力（Ｉ／Ｏ）バスと、を備えている。エンジン制御器１００は、制御部の一例である。
【００３６】
エンジン制御器１００は、図５に示すように、エアフローセンサ、クランク角センサ、アクセル開度センサ及び車速センサ等の各種センサからの信号をそれぞれ受ける。エンジン制御器１００は、これらの入力信号に基づいて、例えば、所望のスロットル開度信号、燃料噴射パルス、点火信号、バルブ位相角信号等といった、エンジン１の制御パラメータを計算する。そして、エンジン制御器１００は、それらの信号を、スロットル弁、ＶＶＴ２１ｂ、ＥＧＲ弁２３、燃料供給システム３４及びパルス電圧発生装置４２等に出力する。
【００３７】
このエンジン１の幾何学的圧縮比εは、１５以上４０以下とされている。この幾何学的圧縮比εは、特に２０以上３５以下が好ましい。本実施形態では、エンジン１は圧縮比＝膨張比となる構成から、高圧縮比と同時に、比較的高い膨張比を有するエンジン１でもある。尚、圧縮比≦膨張比となる構成（例えばアトキンソンサイクルや、ミラーサイクル）を採用してもよい。また、吸気弁の遅閉じ等を行う場合には、エンジン１の有効圧縮比は、１２以上に設定される。好ましくは、エンジン１の有効圧縮比は、１８以上に設定される。
【００３８】
燃焼室１７は、図１に示すように、シリンダ１１の壁面と、ピストン１５の冠面と、シリンダヘッド１３の下面（天井面）と、吸気弁２１及び排気弁２２それぞれのバルブヘッドの面と、によって区画形成されている。そして、冷却損失を低減するべく、これらの各面に、断熱層が設けられている。断熱層は、燃焼室１７内の燃焼ガスの熱が、区画面を通じて放出されることを抑制するため、燃焼室１７を構成する金属製の母材よりも熱伝導率が低く設定される。例えば、母材の材質は、シリンダブロック１２、シリンダヘッド１３及びピストン１５については、アルミニウム合金や鋳鉄であり、吸気弁２１及び排気弁２２については、耐熱鋼や鋳鉄等である。
【００３９】
また、断熱層６は、冷却損失を低減する上で、母材よりも容積比熱が小さいことが好ましい。つまり、燃焼室１７内のガス温度は燃焼サイクルの進行によって変動するが、燃焼室１７の断熱構造を有しない従来のエンジンは、シリンダヘッドやシリンダブロック内に形成したウォータージャケット内を冷却水が流れることにより、燃焼室１７を区画する面の温度は、燃焼サイクルの進行にかかわらず、概略一定に維持される。
【００４０】
一方で、冷却損失は、冷却損失＝熱伝達率×伝熱面積×（ガス温度−区画面の温度）によって決定されることから、ガス温度と壁面の温度との差温が大きくなればなるほど冷却損失は大きくなってしまう。冷却損失を抑制するためには、ガス温度と区画面の温度との差温は小さくすることが望ましいが、冷却水によって燃焼室１７の区画面の温度を概略一定に維持した場合、ガス温度の変動に伴い差温が大きくなることは避けられない。そこで、断熱層６の熱容量を小さくして、燃焼室１７の区画面の温度が、燃焼室１７内のガス温度の変動に追従して変化するようにすることが好ましい。
【００４１】
上記断熱層６は、例えば、母材上にＺｒＯ２等のセラミック材料をプラズマ溶射によってコーティングして形成すればよい。このセラミック材料の中には、多数の気孔を含んでいてもよい。このようにすれば、断熱層６の熱伝導率及び容積比熱をより低くすることができる。
【００４２】
また、本実施形態では、吸気ポート１８の内壁を、熱伝導率が非常に低くて断熱性に優れかつ耐熱性にも優れたチタン酸アルミニウムで構成している。この構成は、新気が吸気ポート１８を通過するときに、シリンダヘッド１３から受熱して温度が上がることを抑制乃至回避し得る。これによってシリンダ１１内に導入する新気の温度（初期のガス温度）が低くなるため、燃焼時のガス温度が低下し、ガス温度と燃焼室１７の区画面との差温を小さくする上で有利になる。燃焼時のガス温度を低下させることは熱伝達率を低くし得るから、そのことによる冷却損失の低減にも有利になる。
【００４３】
本実施形態では、上記の燃焼室１７及び吸気ポート１８の断熱構造に加えて、気筒内（燃焼室１７内）においてガス層による断熱層を形成することで、冷却損失を大幅に低減するようにしている。
【００４４】
具体的には、エンジン制御器１００は、エンジン１の気筒内（燃焼室１７内）の外周部に新気を含むガス層が形成されかつ中心部に混合気層が形成されるように、圧縮行程においてインジェクタ３３から燃焼室１７内に燃料を噴射させるべく、燃料供給システム３４の電気回路に噴射信号を出力する。すなわち、圧縮行程においてインジェクタ３３により燃焼室１７内に燃料を噴射させかつその燃料噴霧のペネトレーションを、燃料噴霧が燃焼室１７内の周辺部まで届かないような大きさ（長さ）に抑えることで、燃焼室１７の中心部に混合気層が形成されかつその周囲に新気を含むガス層が形成されるという、成層化が実現する。このガス層は、新気のみであってもよく、新気に加えて、既燃ガス（ＥＧＲガス）を含んでいてもよい。尚、ガス層に少量の燃料が混じっても問題はなく、ガス層が断熱層の役割を果たせるように混合気層よりも燃料リーンであればよい。
【００４５】
上記のようにガス層と混合気層とが形成された状態で燃料が自己着火すれば、混合気層とシリンダ１１の壁面との間のガス層により、混合気層の火炎がシリンダ１１の壁面に接触することがなく、そのガス層が断熱層となって、シリンダ１１の壁面からの熱の放出を抑えることができるようになる。この結果、冷却損失を大幅に低減することができる。
【００４６】
尚、冷却損失を低減させるだけでは、その冷却損失の低減分が排気損失に転換されて図示熱効率の向上にはあまり寄与しないところ、このエンジン１では、高圧縮比化に伴う高膨張比化によって、冷却損失の低減分に相当する燃焼ガスのエネルギを、機械仕事に効率よく変換している。すなわち、エンジン１は、冷却損失及び排気損失を共に低減させる構成を採用することによって、図示熱効率を大幅に向上させているということができる。
【００４７】
このように構成されたエンジン１は、全運転領域において、自己着火燃焼を行う。エンジン制御器１００は、圧縮上死点以降に自己着火燃焼による主燃焼（エンジントルクを生成する燃焼（１サイクル中で最も大きな熱量を発生させる燃焼））が生じるようにインジェクタ３３に燃料噴射を行わせる。
【００４８】
さらに、エンジン制御器１００は、少なくとも、図６で示す高負荷側の第１運転領域Ａ１では、該第１運転領域Ａ１よりも低負荷側の第２運転領域Ａ２における同じ回転数の運転状態に比べて、自己着火燃焼をリタードさせている。第１運転領域Ａ１では、第２運転領域Ａ２よりもエンジン負荷が高いので、クランク角に対する圧力上昇率ｄＰ／ｄθ（以下、単に「圧力上昇率ｄＰ／ｄθ」という）が大きくなり、騒音振動レベルが高くなると共に異常燃焼が生じやすくなる傾向にある。
【００４９】
それに加えて、第１運転領域Ａ１では、第２運転領域Ａ２に比べてＥＧＲガスの量が少ない。詳しくは、エンジン制御器１００は、エンジン負荷が高くなるほど、新気量が必要になるのでＥＧＲガス量を減量している。特に、第１運転領域Ａ１のうち全負荷の運転領域ではＥＧＲガスが零になっている。ここで、ＥＧＲガスは不活性ガスであるので、燃焼を緩慢にする作用があり、圧力上昇率ｄＰ／ｄθを低減する効果がある。しかしながら、第１運転領域Ａ１は、燃料が多いことに加えてＥＧＲガス量が少ないので、圧力上昇率ｄＰ／ｄθがますます高くなってしまう。つまり、ＥＧＲガス量の観点からも、第１運転領域Ａ１では、第２運転領域Ａ２に比べて圧力上昇率ｄＰ／ｄθが大きくなる。
【００５０】
そこで、エンジン制御器１００は、第１運転領域Ａ１では、自己着火燃焼をリタードさせて、圧力上昇率ｄＰ／ｄθを低減している。燃焼期間をリタードさせて、燃焼時の圧力上昇率ｄＰ／ｄθが最大となるタイミングをモータリング時の圧力上昇率ｄＰ／ｄθの負の最大値となる時点に近づけることによって、燃焼時の圧力上昇率ｄＰ／ｄθを全体的に低減することができる。モータリングとは、燃焼を伴わずに、エンジンのクランク軸を電動モータで回すことである。モータリング時の燃焼室１７の圧力上昇率ｄＰ／ｄθは、圧縮行程では正の値であり、圧縮上死点で零となり、膨張行程が進むにつれて減少し、やがて負の最大値となる。好ましくは、燃焼期間がモータリング時の圧力上昇率ｄＰ／ｄθが負の最大値となる時点と重複するように、燃焼時期をリタードさせる。
【００５１】
しかしながら、燃焼時期をリタードさせると、燃焼期間の終盤においては膨張行程が進んで筒内温度が低下しているので、燃焼がダラダラと継続する後燃え現象が生じ得る。
【００５２】
そこで、エンジン制御器１００は、自己着火燃焼を行う際に、オゾン生成器４にオゾンを生成させる。詳しくは、エンジン制御器１００は、自己着火燃焼の発生をアシストするための第１オゾン添加と、自己着火燃焼の後燃えを短縮させるための第２オゾン添加とをオゾン生成器４に行わせる。
【００５３】
エンジン制御器１００のオゾン添加について、図７を参照しながら詳細に説明する。図７は、オゾン生成時のタイミングチャートであって、（Ａ）は燃料噴射量、（Ｂ）は熱発生率、（Ｃ）はパルス電圧、（Ｄ）は燃料の燃焼質量割合を示す。
【００５４】
具体的には、図７（Ａ）に示すように、圧縮上死点（ＴＤＣ）後の所定のクランク角において、エンジン制御器１００は、インジェクタ３３に燃料噴射を開始させる。エンジン制御器１００は、着火時期をリタードさせるために、圧縮上死点以降に燃料噴射を行っている。
【００５５】
それに加えて、エンジン制御器１００は、図７（Ｃ）に示すように、オゾン生成器４にオゾンを生成させる。これが第１オゾン添加である。
【００５６】
ここで、シリンダブロック１２及びシリンダヘッド１３等は接地されているので、放電プラグ４１に短パルス高電圧が印加されると、燃焼室１７の内壁と電極４１ａとの間で放電が生じる（電極４１ａがアノードに相当し、燃焼室１７の内壁がカソードに相当する）。
【００５７】
印加される電圧は、所定の短パルス高電圧に制御されているので、燃焼室１７ではストリーマ放電のみが発生する。従って、火花や熱が生じるおそれはほとんどない。電極４１ａには誘電体が介在しておらず、さらに、オゾンが燃焼室１７で直接生成されるため、オゾン生成効率及びエネルギ利用効率を向上させることができる。
【００５８】
さらに、燃料噴射中に放電プラグ４１への電圧印加を行うことによって、オゾン生成効率を向上させることができる。詳しくは、燃料の液滴は、空気よりも電気抵抗が低いので、燃焼室１７内に燃料の液滴が存在する場合には、電極４１ａと液滴との間で放電が発生しやすくなる。その結果、電極４１ａと燃焼室１７の内壁との間で放電が発生する場合と比べて、放電が生じやすくなる。
【００５９】
このように、第１オゾン添加を行うことによって、自己着火燃焼が生じやすくなる。つまり、膨張行程では筒内温度が低下するため、自己着火燃焼にとっては不利な環境である。特に、自己着火燃焼をリタードさせればさせるほど、温度低下が大きくなるので燃焼安定性が悪化する。それに対し、燃焼室１７内でオゾンを生成することによって、燃料にエネルギが付与され、燃料が着火しやすくなる。つまり、第１オゾン添加によるオゾンは、自己着火燃焼をアシストしている。こうして、燃焼時期をリタードさせた場合であっても、自己着火燃焼を安定して生じさせることができる。
【００６０】
図７（Ｂ）に示すように、燃料噴射及び第１オゾン添加が終了した後に、燃料が着火し、熱発生率が上昇し始める。尚、燃料噴射中及び第１オゾン添加中に燃料が着火してもよい。着火は、燃料の燃焼質量割合が１％以上となることをもって判定することができる。
【００６１】
自己着火燃焼が開始すると、熱発生率は急激に上昇し、ピークＰに達する。その後、熱発生率は、減少に転じる。しかしながら、リタード燃焼の特に終期においては、膨張行程が進んで筒内温度が低下しているため、図７（Ｂ），（Ｄ）に破線で示すように、燃焼が直ちに終了するのではなく、燃焼がダラダラと継続する後燃え現象が生じ得る。特に、燃焼室１７のうち、ピストン１５の冠面１５ａの周縁部と燃焼室１７の天井面との間に形成される、所謂スキッシュエリアＳには、非常にリーンな混合気が存在し、この混合気が後燃えの要因となり得る。
【００６２】
そこで、エンジン制御器１００は、燃料の着火後に、オゾン生成器４に第２オゾン添加を実行させる。第２オゾン添加は、燃料の着火後に行われるので、その時点において燃焼室１７内に残留している燃料に対してＯラジカル及びＯＨラジカル等のラジカルが作用する。これにより、残留している燃料にエネルギが付与され、該燃料の燃焼が促進される。その結果、図７（Ｂ），（Ｄ）に示すように、燃焼室１７内の燃料が早期に燃え切り、燃焼が早期に終了する。こうして後燃えを抑制することによって、熱効率が向上する。
【００６３】
ここで、エンジン回転数に対する圧力上昇率ｄＰ／ｄθの許容レベルは、図８に示すようになる。圧力上昇率ｄＰ／ｄθの許容レベルは、低回転側に比べて高回転側の方が厳しい。詳しくは、低回転側では、異常燃焼よりも騒音振動レベルが問題となる傾向になる。騒音振動レベルの観点で圧力上昇率ｄＰ／ｄθの許容レベルを設定すると、図８に示すように、許容できる圧力上昇率ｄＰ／ｄθは、回転数に対して略一定となる（すなわち、回転数に対する圧力上昇率ｄＰ／ｄθは略水平な線となる）。一方、高回転側では、騒音振動レベルよりも異常燃焼が問題となる傾向にある。異常燃焼の観点で圧力上昇率ｄＰ／ｄθの許容レベルを設定すると、許容できる圧力上昇率ｄＰ／ｄθは、回転数が増加するほど減少する（すなわち、回転数に対する圧力上昇率ｄＰ／ｄθは右下がりの線となる）。これは、高回転側ほど、燃焼ガスの燃焼室１７内での放熱時間が短く、且つ、燃焼室１７内の残留ガスの温度が高いことに起因して、筒内温度が高くなることが原因であると考えられる。その結果、全体としてエンジン回転数の高回転側で圧力上昇率ｄＰ／ｄθの許容レベルが低く、その領域ではエンジン回転数が高くなるほど圧力上昇率ｄＰ／ｄθの許容レベルが低くなっていく。
【００６４】
そこで、エンジン制御器１００は、第１運転領域Ａ１の高回転側においては、エンジン回転数が高くなるほど、インジェクタ３３による燃料噴射時期を着火時期がリタードする（遅角側に移動する）ように調整している。ここで、高回転側とは、運転領域をエンジン回転数において二分割（二等分）したときの高回転側を意味する。
【００６５】
図９に、エンジン回転数が高い時と低い時との典型的な熱発生率を示す。図９に示すように、エンジン回転数の上昇に伴い着火時期をリタードさせると、低回転時と比べて、高回転時の熱発生率の最大値が低下している。このように、エンジン制御器１００は、高回転側ほど厳しくなる圧力上昇率ｄＰ／ｄθの許容レベルに対応させて、エンジン回転数が上昇するほどリタード量を大きくさせる。これにより、高回転側ほど、燃焼時の圧力上昇率ｄＰ／ｄθが小さくなる。
【００６６】
しかしながら、着火時期のリタード量を長くすればするほど、後燃えの長さも長くなっている。
【００６７】
そのため、エンジン制御器１００は、オゾン生成器４によるオゾン生成時期をエンジン回転数に応じて調整している。図１０は、高回転側の運転領域におけるオゾン生成時のタイミングチャートであって、（Ａ）は熱発生率、（Ｂ）は燃料の燃焼質量割合を示す。尚、上述の図７は、低回転側の運転領域におけるオゾン生成時のタイミングチャートの一例である。
【００６８】
詳しくは、エンジン制御器１００は、図１０に示すように、着火後であって且つ、図７に示す低回転時と比べて燃料の燃焼質量割合が少ない時期に第２オゾン添加を行う。このように、高回転時の方が低回転時に比べて、未燃の燃料がより多く残っている段階でオゾンが添加されるので、より多くの燃料がオゾンにより活性化され、後燃えをより一層短縮することができる。
【００６９】
このとき、第１オゾン添加は、着火時期のリタードに合わせて、低回転時に比べて遅角側に調整されている。つまり、高回転時は低回転時に比べて着火時期をリタードさせるべく、燃料の噴射時期も遅い。そのため、着火をアシストするための第１オゾン添加は、燃料の噴射時期及び所望の着火タイミングに合わせて遅角側に調整される。
【００７０】
また、第２オゾン添加は、エンジン回転数の上昇に伴って早められた結果、熱発生率のピークよりも前に実行される場合もあり得る（図１０はその状態を示している）。つまり、エンジン制御器１００は、第２オゾン添加によるオゾン生成時期を、エンジン回転数に応じて、熱発生率のピークとなる時期を前後に跨ぐ範囲で調整する。オゾン生成時期が熱発生率のピークよりも前の場合には、オゾンは、後燃えを短縮するだけでなく、熱発生率のピークを高めるようにも作用する。その結果、熱発生率の立ち下がりがより急峻となる。これにより、燃料をより早期に燃焼させることができ、燃焼の終息をより早めることができる。例えば、熱発生率の上昇時の傾き（例えば、熱発生率のピークを１００％としたときに、熱発生率が１０％から９０％までの変化率）の絶対値よりも、熱発生率の減少時の傾き（（例えば、熱発生率のピークを１００％としたときに、熱発生率が９０％から１０％までの変化率））の絶対値の方が大きくなる。
【００７１】
こうして、後燃えを抑制することによって熱効率を向上させることができ、図１１に示すように、エンジン回転数の全域に亘って、トルクを上昇させることができる。尚、エンジン回転数が高いほど、オゾン生成時期が早くなって後燃え抑制の効果が大きいので、トルクの改善量も大きい。それに加え、エミッション性能も向上する。図１２には、Ｓｏｏｔの例を示すが、エンジン回転数の全域に亘って、Ｓｏｏｔの発生量が低減される。尚、エンジン回転数が高いほど、Ｓｏｏｔの低減量も大きい。このような発生量の低減は、Ｓｏｏｔに限らず、ＣＯ、ＨＣにおいても同様の傾向となる。
【００７２】
以上のように、エンジン１の制御装置は、シリンダ１１内に設けられたピストン１５を有し、該シリンダ１１及び該ピストン１５によって燃焼室１７が区画されるエンジン本体と、少なくともガソリンを含む燃料を上記燃焼室１７内に噴射するインジェクタ３３と、上記燃焼室１７内にオゾンを生成するオゾン生成器４と、上記インジェクタ３３及び上記オゾン生成器４を制御するエンジン制御器１００とを備え、上記エンジン制御器１００は、燃料の着火後に上記オゾン生成器４にオゾンを生成させ（第２オゾン添加）、上記エンジン本体の回転数が高いほど、上記インジェクタ３３による燃料噴射時期を着火時期が遅角側に移動するように調整すると共に上記オゾン生成器４によるオゾン生成時期を燃料の燃焼質量割合がより少ない時期にオゾンが生成されるように調整する。
【００７３】
この構成によれば、エンジン回転数が高いほど、着火時期がリタードされると共にオゾン生成時期が早められる。つまり、エンジン回転数が高い場合であっても、着火時期のリタードにより騒音振動レベルの低減及び異常燃焼の抑制が図られる。そして、エンジン回転数の上昇に伴って着火時期のリタード量が増加するものの、着火後にオゾンが生成されると共にオゾン生成時期が早められることによって、後燃えた抑制され、熱効率を向上させることができる。
【００７４】
また、上記エンジン制御器１００は、燃料の着火前にも上記オゾン生成器４にオゾンを生成させ（第１オゾン添加）、エンジン回転数が高いほど、着火前のオゾン生成時期を遅角側へ調整する。
【００７５】
この構成によれば、オゾンは、燃料の着火前と着火後に少なくとも２回生成される。着火前の第１オゾン添加は、燃料の着火をアシストする。特に、上記エンジン１は、着火時期をリタードさせるため、着火時は筒内温度が低下した着火に不利な環境となっている。着火前にオゾンを生成することによって、筒内温度が低下した環境であってもリタード燃焼を安定して行うことができる。そして、第１オゾン添加によるオゾン生成時期をエンジン回転数の上昇に合わせて遅角側へ調整することによって、リタードされる着火時期のタイミングに合わせてオゾンを生成することができる。
【００７６】
一方、第２オゾン添加によるオゾン生成時期は、上述の如く、エンジン回転数の上昇に対応して増加するリタード量に合わせて、燃料の燃焼質量割合がより少ない時期にオゾンが生成されるように調整される。
【００７７】
こうして、エンジン回転数の上昇に応じてリタード量を大きくした場合でも着火を可能としつつ、熱効率を向上させることができる。
【００７８】
さらに、上記エンジン制御器１００は、第２オゾン添加によるオゾン生成時期を、エンジン回転数に応じて、燃焼による熱発生率のピークとなる時期を前後に跨ぐ範囲で調整する。
【００７９】
この構成によれば、オゾン生成時期をエンジン回転数に応じて調整する際に、熱発生率のピークとなる時期を含む範囲でオゾン生成時期が調整される。オゾン生成時期が早めに調整されたときには、その生成時期が熱発生率のピークよりも前になる場合があり、その場合には、オゾンは、熱発生率のピークを高めると共に、熱発生率のピーク以降の立下りを急峻にするように作用する。一方、オゾン生成時期が遅めに調整されたときには、その生成時期が熱発生率のピークよりも後になる場合があり、その場合には、オゾンは、熱発生率の立下りを途中から（オゾンが燃焼を促進したときから）急峻にするように作用する。
【００８０】
《その他の実施形態》
以上のように、本出願において開示する技術の例示として、上記実施形態を説明した。しかしながら、本開示における技術は、これに限定されず、適宜、変更、置き換え、付加、省略などを行った実施の形態にも適用可能である。また、上記実施形態で説明した各構成要素を組み合わせて、新たな実施の形態とすることも可能である。また、添付図面および詳細な説明に記載された構成要素の中には、課題解決のために必須な構成要素だけでなく、上記技術を例示するために、課題解決のためには必須でない構成要素も含まれ得る。そのため、それらの必須ではない構成要素が添付図面や詳細な説明に記載されていることをもって、直ちに、それらの必須ではない構成要素が必須であるとの認定をするべきではない。
【００８１】
上記実施形態について、以下のような構成としてもよい。
【００８２】
例えば、オゾン生成器４は、上記の構成に限られるものではない。燃料の着火後にオゾンを添加できる構成であれば、任意の構成を採用することができる。
【００８３】
また、第１オゾン添加を省略することも可能である。第１オゾン添加が無くても、自己着火燃焼を良好に生じさせることができる場合には、第１オゾン添加を省略してもよい。
【００８４】
また、第２オゾン添加を複数回に増やしてもよい（即ち、第３オゾン添加、第４オゾン添加、…を追加してもよい）。膨張比をより高く設定する等、膨張行程の進行による温度低下が大きくなる場合は、熱発生率の立ち下がりが緩慢になるのを防ぐため追加のオゾン添加、即ち、第３オゾン添加を追加してもよい。
【００８５】
尚、上記の例では、燃焼室１７及び吸気ポート１８の断熱構造を採用するとともに、気筒内（燃焼室１７内）にガス層による断熱層を形成するようにしたが、ここに開示する技術は、燃焼室１７及び吸気ポート１８の断熱構造や気筒内の断熱層を採用しないエンジンにも適用することができる。
【産業上の利用可能性】
【００８６】
以上説明したように、ここに開示された技術は、直噴ガソリンエンジンの制御装置について有用である。
【符号の説明】
【００８７】
１        エンジン
１１      シリンダ（気筒）
１５      ピストン
１７      燃焼室
３３      インジェクタ
４        オゾン生成器
４１      電極
１００    エンジン制御器（制御部）
【図１】
2015190366.tif 000003
【図２】
2015190366.tif 000004
【図３】
2015190366.tif 000005
【図４】
2015190366.tif 000006
【図５】
2015190366.tif 000007
【図６】
2015190366.tif 000008
【図７】
2015190366.tif 000009
【図８】
2015190366.tif 000010
【図９】
2015190366.tif 000011
【図１０】
2015190366.tif 000012
【図１１】
2015190366.tif 000013
【図１２】
2015190366.tif 000014